(57)【要約】      （修正有）【課題】手足が冷たくて寝付きにくい人や、肩凝りで疲れ易い人が就寝時に装着することで血行促進を計り、入眠し易く肩凝りやむくみを軽減する、洗濯可能な足つぼ磁気サポーターを提供する。【解決手段】爪先部Ａの覆いがなく、踵部Ｂに開口部を設けた、筒状に編成された伸縮性生地の足首サポーター１であり、内側の土踏まず部に位置する部分に複数個の永久磁石２を編み込み、或いは薄い伸縮性生地で動かないよう一個ずつ縫製した洗濯可能な足つぼ磁気サポーターである。踵部Ｂに開口部を設けることで、足首を締め過ぎず、装着して時間が経過しても土踏まず部に位置する部分に取り付けた複数個の永久磁石２と土踏まずの位置がずれにくく、血行促進を計ることができる洗濯可能な足つぼ磁気サポーターである。【選択図】図１
0003142305.tif 000002
【実用新案登録請求の範囲】
【請求項１】
装着時に爪先部（Ａ）と踵部（Ｂ）が被覆されていない筒状に編成され踵部（Ｂ）に開口部を設けた、伸縮性生地の足首サポーター（１）であり、該サポーター内側の土踏まず部に位置する部分に複数個の永久磁石（２）を編み込み、或いは薄い伸縮性生地で動かないよう一個ずつ縫製した事を特徴とする洗濯可能な足つぼ磁気サポーター。
【請求項２】
該サポーター踵部（Ｂ）に開口部を設けた事を特徴とする洗濯可能な足つぼ磁気サポーター。
【考案の詳細な説明】
【技術分野】
【０００１】  本考案は、足首サポーター（１）の内側の土踏まず部に位置する部分に永久磁石（２）を複数個取り付け、血行促進を計る洗濯可能な足つぼ磁気サポーターに関する。
【背景技術】
【０００２】  永久磁石の磁力は血行促進効果がある事が知られ、磁石を首や肩に絆創膏などの粘着テープによって直接貼る商品や、土踏まず部に磁石を埋め込んだ靴の中敷などが市販されている。また、足裏を刺激する物としては、足裏に着脱可能な磁石カードポケットを設けた足サポーター（実登３１１２１４０）や、５本指靴下の指の間及び土踏まずに磁気を帯びた物を編み込んだ靴下（特開２００２−２２０７０３）や、足サポーターの土踏まず部などに指圧及び支持用のクッションを突設させた足裏の指圧及び支持用サポーター（実登３１０６７２８）などが提案されている。
【考案の開示】
【考案が解決しようとする課題】
【０００３】  しかし、首や肩に磁石付き絆創膏を貼っていると目立つ上、数日で粘着力が落ちるため、新しい専用の絆創膏を買って張り替える必要があり、手間もかかり不経済である。土踏まず部に磁石を埋め込んだ靴の中敷も、靴のデザインが限定され一般的とは言えない。そして足裏刺激のサポーターなどに関しては、土踏まず部を覆う位の比較的短いサポーターであれば装着して時間が経過するとずれる恐れがある。また、５本指靴下の指の間に磁気を帯びた物を編み込むと違和感があり、履き心地が悪そうである。【０００４】  本考案は、手足が冷たくて寝付きにくい人や肩が凝って疲れ易い人が就寝時に装着することで血行促進を計り、入眠し易く肩凝りやむくみを軽減する、洗濯可能な足つぼ磁気サポーターを提供する。
【課題を解決するための手段】
【０００５】  本考案は、装着時に爪先部（Ａ）と踵部（Ｂ）が被覆されていない筒状に編成され踵部（Ｂ）に開口部を設けた、伸縮性生地の足首サポーター（１）であり、内側の土踏まず部に位置する部分に複数個の永久磁石（２）を編み込み、或いは薄い伸縮性生地で動かないよう一個ずつ縫製した洗濯可能な足つぼ磁気サポーターである。
尚、踵部（Ｂ）に開口部を設けているのは、足首を締め過ぎず、土踏まず部に位置する部分に取り付けた複数個の永久磁石（２）と土踏まずの位置がずれないよう密着させ、血行促進を計るためである。
【考案の効果】
【０００６】  本考案のサポーターは、装着時に爪先部（Ａ）と踵部（Ｂ）の覆いがなく、筒状に編成され踵部（Ｂ）に開口部を設けた、伸縮性生地の足首サポーター（１）であり、内側の土踏まず部に位置する部分に複数個の永久磁石（２）を編み込み、或いは薄い伸縮性生地で動かないよう一個ずつ縫製した足つぼ磁気サポーターであるため、洗濯可能で繰り返し使用できる。
そして、踵部（Ｂ）に開口部を設けることで、内側の土踏まず部に位置する部分に取り付けた複数個の永久磁石（２）と土踏まずとのずれを防ぎ、また、足首の締め過ぎを防ぎ血行促進し易くする。
就寝時にこの洗濯可能な足つぼ磁気サポーターを装着することで血行促進を計り、入眠し易くなる。就寝時の装着を続けること数週間で（個人差はあるが）血行促進し易くなり、冷えやむくみ、肩凝りなどが軽減してくる。
【考案を実施するための最良の形態】
【０００７】  本考案の実施形態に於ける洗濯可能な足つぼ磁気サポーターについて、図面に添って説明する。図１は筒状に編成された伸縮性生地の足首サポーター本体（１）の側面図であり、図２は足首サポーター（１）の甲に当たる部分を切り取り、上から見た図である。該足首サポーター本体（１）の大きさは、図１の状態で幅８０ｍｍ、全長２３５ｍｍ、爪先部（Ａ）から踵部（Ｂ）までが１３５ｍｍ、踵部（Ｂ）から足首（Ｃ）までが１００ｍｍ、また図２の状態で踵部（Ｂ）の開口部の長さは５５ｍｍである。尚、図３のように装着時に土踏まず部が十分被覆される大きさが望ましい。また、足首サポーター本体（１）の生地素材は、伸縮性、通気性、吸水性に優れた素材が好ましい。【０００８】  （２）は足首サポーター本体（１）の内側の土踏まずに位置する部分に磁極を揃えて取り付けた永久磁石である。永久磁石（２）の取り付け方法は、足首サポーター本体（１）の素材より細く薄くなる素材で内側に編み込むか、薄く伸縮性のある生地で動かないよう一個ずつ縫製すると良い。図２は右足の土踏まず用に取り付けた永久磁石（２）と薄い裏生地（３）であるが、この状態で（３）の長辺（ａ）の長さは８５〜１０５ｍｍで、短辺（ｂ）は６５〜８０ｍｍであるが、土踏まずの長さは個人差が大きく、また男女差なども大きいので上記に限定されるものではない。
尚、永久磁石（２）の磁力は１８０ミリステラ以上が好ましく、図２では５個取り付けているが、冷えの程度により増減すると良い。【０００９】  本考案の使用方法について説明する。図２のように永久磁石（２）や踵部（Ｂ）の開口部が下側になるように足首サポーター本体（１）を広げ、足首（ｃ）の方から爪先を入れて図３のように装着する。この時、図４のように永久磁石（２）が土踏まず部に位置するように装着する。
尚、この洗濯可能な足つぼ磁気サポーターは就寝時の装着を続けると血行促進し、入眠し易くなり冷えやむくみなどが軽減してくる。
【図面の簡単な説明】
【００１０】
【図１】本考案の実施形態に於ける洗濯可能な足つぼ磁気サポーターの側面図である。
【図２】本考案品の洗濯可能な足つぼ磁気サポーターの甲に当たる部分を切り取り、上から見た図である。
【図３】本考案品の洗濯可能な足つぼ磁気サポーターを装着した側面図である。
【図４】図３の底面図である。
【符号の説明】
【００１１】（１）  足首サポーター本体
（２）  永久磁石
（３）  薄い裏生地
Ａ    爪先部
Ｂ    踵部開口部
Ｃ    足首
【図１】
0003142305.tif 000003
【図２】
0003142305.tif 000004
【図３】
0003142305.tif 000005
【図４】
0003142305.tif 000006
【手続補正書】
【提出日】平成20年2月29日(2008.2.29)
【手続補正１】
【補正対象書類名】実用新案登録請求の範囲
【補正対象項目名】全文
【補正方法】変更
【補正の内容】
【実用新案登録請求の範囲】
【請求項１】
装着時に爪先部（Ａ）と踵部（Ｂ）が被覆されていない筒状に編成され踵部（Ｂ）に開口部を設けた、伸縮性生地の足首サポーター（１）であり、該サポーター内側の土踏まず部に位置する部分に複数個の永久磁石（２）を編み込み、或いは薄い伸縮性生地で動かないよう一個ずつ縫製した事を特徴とする洗濯可能な足つぼ磁気サポーター。
【請求項２】
踵部（Ｂ）に開口部を設けた事を特徴とする請求項１記載の洗濯可能な足つぼ磁気サポーター。